(57)【特許請求の範囲】
【請求項１】
薬局に処方箋データを送信して医薬品の調剤を予約する調剤予約装置であって、
複数の薬局のうちいずれか１つを選択可能とする選択画面を表示させる第１表示制御手段と、
処方箋データの取得を促す取得画面を表示させる第２表示制御手段と、
お薬手帳の保有及び作成希望の少なくとも一方の手帳情報を入力させる入力画面を表示させる第３表示制御手段と、
ジェネリック医薬品を希望するかのジェネリック情報を入力させる入力画面を表示させる第４表示制御手段と、
前記第２表示制御手段により表示された取得画面にて処方箋データの取得が促されて、前記処方箋データが取得された場合に、前記第１表示制御手段により表示された選択画面にて選択された薬局側に対して、前記処方箋データと、前記第３表示制御手段により表示された入力画面にて入力された手帳情報と、前記第４表示制御手段により表示された入力画面にて入力されたジェネリック情報と、をセットで送信する送信制御手段と、
を備えることを特徴とする調剤予約装置。
【請求項２】
医薬品が処方される患者側の連絡先の情報を入力させる入力画面を表示させる第５表示制御手段をさらに備え、
前記送信制御手段は、前記選択された薬局側に対して、更に、前記第５表示制御手段により表示された入力画面にて入力された連絡先の情報を送信する
ことを特徴とする請求項１に記載の調剤予約装置。
【請求項３】
前記第１表示制御手段により表示された選択画面にて選択された薬局に医薬品を受け取りに行く予定の日時を入力させる入力画面を表示させる第６表示制御手段をさらに備え、
前記送信制御手段は、前記選択された薬局側に対して、更に、前記第６表示制御手段により表示された入力画面にて入力された医薬品を受け取りに行く予定の日時の情報を送信する
ことを特徴とする請求項１又は請求項２のいずかに記載の調剤予約装置。
【請求項４】
前記第６表示制御手段は、前記選択された薬局に医薬品を受け取りに行く予定の日時に関し、当該薬局の営業日及び営業時間に限定して入力可能とさせる入力画面を表示させる
ことを特徴とする請求項３に記載の調剤予約装置。
【請求項５】
前記第６表示制御手段は、前記選択された薬局に医薬品を受け取りに行く予定の日時に関し、操作日を含めて４日以内に限定して入力可能とさせる入力画面を表示させる
ことを特徴とする請求項３又は請求項４のいずれかに記載の調剤予約装置。
【請求項６】
前記第１表示制御手段は、選択画面において現在地からの距離が近い順序で複数の薬局を表示する
ことを特徴とする請求項１から請求項５のいずれか１項に記載の調剤予約装置。
【請求項７】
薬局に処方箋データを送信して処方された薬の予約を行う調剤予約方法であって、
複数の薬局のうちいずれか１つを選択可能とする選択画面を表示させる第１表示制御工程と、
処方箋データの取得を促す取得画面を表示させる第２表示制御工程と、
お薬手帳の保有及び作成希望の少なくとも一方の手帳情報を入力させる入力画面を表示させる第３表示制御工程と、
少なくともジェネリック医薬品を希望するかのジェネリック情報を入力させる入力画面を表示させる第４表示制御工程と、
前記第２表示制御工程において表示された取得画面にて処方箋データの取得が促されて、前記処方箋データが取得された場合に、前記第１表示制御工程において表示された選択画面にて選択された薬局側に対して、取得した処方箋データと、前記第３表示制御工程において表示された入力画面にて入力された手帳情報と、前記第４表示制御工程において表示された入力画面にて入力されたジェネリック情報と、をセットで送信する送信制御工程と、
を備えることを特徴とする調剤予約方法。
【請求項８】
請求項７に記載の調剤予約方法をコンピュータに実行させるためのプログラム。
【請求項９】
請求項８に記載のプログラムを記録したコンピュータ読み取り可能な記録媒体。
【発明の詳細な説明】
【技術分野】
【０００１】
本発明は、調剤予約装置、調剤予約方法、プログラム、及び記録媒体に関する。
【背景技術】
【０００２】
従来、医師から交付された処方箋に基づいて調剤を予約する調剤予約システムが提案されている（特許文献１〜３参照）。これらのシステムでは、調剤を予約できるため、予約後に薬局に薬を取りに行くことで、調剤の待ち時間を減じることができ、利便性を向上させることができる。
【先行技術文献】
【特許文献】
【０００３】
【特許文献１】特開２０１２−６３８５８号公報
【特許文献２】特開２０１２−１１３５２３号公報
【特許文献３】特開２０１５−１９４４号公報
【発明の概要】
【発明が解決しようとする課題】
【０００４】
しかし、特許文献１〜３に記載のシステムでは、調剤の予約を行うことができるものとされているが、実際には患者側からの要望によっては調剤のやり直しとなってしまう可能性があった。
【０００５】
本発明は、このような課題を解決するためになされたものであり、その目的とするところは、調剤の予約を行うと共に、調剤のやり直しの可能性を減じることができる調剤予約装置、調剤予約方法、プログラム、及び記録媒体を提供することにある。
【課題を解決するための手段】
【０００６】
本発明に係る調剤予約装置は、薬局に処方箋データを送信して医薬品の調剤を予約する調剤予約装置であって、複数の薬局のうちいずれか１つを選択可能とする選択画面を表示させる第１表示制御手段と、処方箋データの取得を促す取得画面を表示させる第２表示制御手段と、お薬手帳の保有及び作成希望の少なくとも一方の手帳情報を入力させる入力画面を表示させる第３表示制御手段と、ジェネリック医薬品を希望するかのジェネリック情報を入力させる入力画面を表示させる第４表示制御手段と、前記第２表示制御手段により表示された取得画面にて処方箋データの取得が促されて、前記処方箋データが取得された場合に、前記第１表示制御手段により表示された選択画面にて選択された薬局側に対して、前記処方箋データと、前記第３表示制御手段により表示された入力画面にて入力された手帳情報と、前記第４表示制御手段により表示された入力画面にて入力されたジェネリック情報と、をセットで送信する送信制御手段と、を備えることを特徴とする。
【０００７】
また、本発明に係る調剤予約方法は、薬局に処方箋データを送信して処方された薬の予約を行う調剤予約方法であって、複数の薬局のうちいずれか１つを選択可能とする選択画面を表示させる第１表示制御工程と、処方箋データの取得を促す取得画面を表示させる第２表示制御工程と、お薬手帳の保有及び作成希望の少なくとも一方の手帳情報を入力させる入力画面を表示させる第３表示制御工程と、少なくともジェネリック医薬品を希望するかのジェネリック情報を入力させる入力画面を表示させる第４表示制御工程と、前記第２表示制御工程において表示された取得画面にて処方箋データの取得が促されて、前記処方箋データが取得された場合に、前記第１表示制御工程において表示された選択画面にて選択された薬局側に対して、取得した処方箋データと、前記第３表示制御工程において表示された入力画面にて入力された手帳情報と、前記第４表示制御工程において表示された入力画面にて入力されたジェネリック情報と、をセットで送信する送信制御工程と、を備えることを特徴とする。
【０００８】
また、本発明に係るプログラムは、上記に記載の調剤予約方法をコンピュータに実行させるためのプログラムであり、本発明に係る記録媒体は、上記に記載のプログラムを記録したコンピュータ読み取り可能な記録媒体である。
【０００９】
これらによれば、選択された薬局側に対して、処方箋データと、手帳情報と、ジェネリック情報とを送信する。ここで、調剤報酬点数は、お薬手帳による薬剤服用管理指導料、及び、ジェネリック医薬品の使用の有無によって、変化するものである。お薬手帳に基づく指導や、ジェネリック医薬品の使用の有無については、処方箋に記載されるものではなく、患者側からの情報が無い限り、薬局側は知ることが困難な情報である。そして、このような情報が調剤報酬点数、すなわち患者への請求額に変化をもたらすものであることから、これらの情報が無い場合、患者側からの要望によっては調剤のやり直しとなってしまう可能性がある。ところが、本発明では、手帳情報と、ジェネリック情報とについても送信するため、調剤報酬点数に変化をもたらす情報を薬局側が取得できることから、調剤の予約を行うと共に、調剤のやり直しの可能性を減じることができる。
【００１０】
また、医薬品が処方される患者側の連絡先の情報を入力させる入力画面を表示させる第５表示制御手段をさらに備え、前記送信制御手段は、前記選択された薬局側に対して、更に、前記第５表示制御手段により表示された入力画面にて入力された連絡先の情報を送信することが好ましい。
【００１１】
この発明によれば、患者側の連絡先の情報を送信するため、医薬品の在庫が不足しており調剤を行えない場合には、患者側にその旨を連絡することができ、患者等が医薬品を取りに来た際に医薬品を渡すことができないという事態を防止することができる。
【００１２】
また、前記第１表示制御手段により表示された選択画面にて選択された薬局に医薬品を受け取りに行く予定の日時を入力させる入力画面を表示させる第６表示制御手段をさらに備え、前記送信制御手段は、前記選択された薬局側に対して、更に、前記第６表示制御手段により表示された入力画面にて入力された医薬品を受け取りに行く予定の日時の情報を送信することが好ましい。
【００１３】
この発明によれば、医薬品を受け取りに行く予定の日時の情報を送信するため、薬局側は受信した日時の情報に基づいて医薬品を用意しておけばよく、患者側の利便性のみならず薬局側の利便性も向上させることができる。
【００１４】
また、前記第６表示制御手段は、前記選択された薬局に医薬品を受け取りに行く予定の日時に関し、当該薬局の営業日及び営業時間に限定して入力可能とさせる入力画面を表示させることが好ましい。
【００１５】
この発明によれば、医薬品を受け取りに行く予定の日時に関し、当該薬局の営業日及び営業時間に限定して入力可能とさせるため、定休日や営業時間外に患者側が医薬品を受け取りに行き、医薬品を受け取ることができなくなってしまう事態を防止することができる。
【００１６】
また、前記第６表示制御手段は、前記選択された薬局に医薬品を受け取りに行く予定の日時に関し、操作日を含めて４日以内に限定して入力可能とさせる入力画面を表示させることが好ましい。
【００１７】
この発明によれば、医薬品を受け取りに行く予定の日時に関し、操作日を含めて４日以内に限定して入力可能とさせるため、処方箋の有効期限が切れた日時に医薬品を受け取りに行ってしまい、医薬品を受け取ることができなくなってしまう可能性を低減することができる。
【００１８】
また、前記第１表示制御手段は、選択画面において現在地からの距離が近い順序で複数の薬局を表示することが好ましい。
【００１９】
この発明によれば、選択画面において現在地からの距離が近い順序で複数の薬局を表示するため、患者側が医薬品を取りに行き易い薬局から順に表示されることとなり、より一層の利便性を向上させることができる。
【発明の効果】
【００２０】
本発明によれば、調剤の予約を行うと共に、調剤のやり直しの可能性を減じることができる調剤予約装置、調剤予約方法、プログラム、及び記録媒体を提供することができる。
【図面の簡単な説明】
【００２１】
【図１】本実施形態に係る調剤予約システムの概念図である。
【図２】図１に示した調剤予約装置１００の詳細を示す構成図である。
【図３】図２に示したマイコン１０の機能ブロック図である。
【図４】初期画面の一例を示す図である。
【図５】選択画面の一例を示す図である。
【図６】第１の入力画面一例を示す図である。
【図７】確認画面一例を示す図である。
【図８】処方箋の画像データの取得を促す第１の取得画面を示す図である。
【図９】処方箋の画像データの取得を促す第２の取得画面を示す図である。
【図１０】処方箋の画像データの取得を促す第３の取得画面を示す図である。
【図１１】第２の入力画面一例を示す図である。
【図１２】第３の入力画面一例を示す図である。
【図１３】第４の入力画面一例を示す図である。
【図１４】本実施形態に係る調剤予約方法を示す第１のフローチャートである。
【図１５】本実施形態に係る調剤予約方法を示す第２のフローチャートである。
【図１６】本実施形態に係る調剤予約方法を示す第３のフローチャートである。
【図１７】処方箋の画像データの取得を促す第４の取得画面を示す図である。
【図１８】処方箋の画像データの取得を促す第５の取得画面を示す図である。
【発明を実施するための形態】
【００２２】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾が発生しない範囲内において、適宜公知又は周知の技術が適用されていることはいうまでもない。
【００２３】
図１は、本実施形態に係る調剤予約システムの概念図である。調剤予約システム１は、患者側のコンピュータである調剤予約装置１００と、薬局側に設置される予約受付装置２００と、これらをつなぐネットワーク３００とから構成されている。ここで、調剤予約装置１００は、病院に設置されるタブレット端末を例に説明するが、調剤予約装置１００は患者側が保有する機器（携帯電話、スマートフォン及びタブレット端末等）であってもよい。また、各装置１００，２００は有線及び無線を問わずネットワーク３００に接続可能であればよい。
【００２４】
調剤予約装置１００は、患者側に選択された薬局に処方箋データを送信して医薬品の調剤を予約するための装置である。予約受付装置２００は、ネットワーク３００を介して送信された処方箋データを受け付けて薬剤師に提示するものである。薬剤師は、提示された処方箋データに基づいて患者側が薬局に訪れる前に調剤の準備等を行っておき、患者側の待ち時間を減じるようにする。
【００２５】
図２は、図１に示した調剤予約装置１００の詳細を示す構成図である。図２に示すように、調剤予約装置１００は、マイコン１０と、カメラ２０と、表示装置３１とタッチパッド３２とからなるタッチパネル３０と、アンテナ部４０とを備えている。マイコン１０は、調剤予約装置１００の全体を制御するものであって、ＣＰＵ１０ａと、ＲＯＭ１０ｂと、ＲＡＭ１０ｃとを備えている。
【００２６】
ＣＰＵ１０ａは、プログラムに従って各種の処理を行う中央処理ユニットである。ＲＯＭ１０ｂは、ＣＰＵ１０ａが行う処理のプログラムなどを格納した読み出し専用のメモリであって、特に本実施形態では調剤予約プログラムが格納されている。ＲＡＭ１０ｃは、ＣＰＵ１０ａでの各種の処理過程で利用するワークエリア、各種データを格納するデータ格納エリアなどを有する読み出し書き込み自在のメモリである。
【００２７】
なお、調剤予約プログラムは、ＲＯＭ１０ｂというコンピュータ内の記録媒体に記録されている場合に限らず、ＣＤ−ＲＯＭやＵＳＢメモリなどの他の記録媒体に記録されていてもよい。
【００２８】
このようなマイコン１０は、ＲＯＭ１０ｂに記憶される調剤予約プログラムをＣＰＵ１０ａが実行することにより、以下の機能部が機能する。図３は、図２に示したマイコン１０の機能ブロック図である。
【００２９】
図３に示すように、マイコン１０は、調剤予約プログラムを実行することで、第１〜第６表示制御部（第１〜第６表示制御手段）１１〜１６と、送信制御部（送信制御手段）１７とが機能する。以下、各表示画面等と共に、各機能部１１〜１７について詳細に説明する。
【００３０】
まず、マイコン１０は、タッチパネル３０の表示装置３１に初期画面を表示させる。図４は、初期画面の一例を示す図である。図４に示すように初期画面においては、その上部に処方箋を薬局に送信できる旨の説明Ｅ１が表示されており、下部には処方箋データを送信する薬局を探す画面（後述の選択画面）に遷移するための操作部Ｏ１が表示され、中段には本装置１００を使用するメリット等の説明Ｅ２が表示されている。このうち、操作部Ｏ１の表示箇所が押下されるとタッチパッド３２が反応して選択画面に遷移する。
【００３１】
第１表示制御部１１は、複数の薬局のうちいずれか１つを選択可能とする選択画面をタッチパネル３０の表示装置３１に表示させるものである。図５は、選択画面の一例を示す図である。図５では５０音順に複数の薬局を表示する例を示している。選択画面においては、その上部に５０音の行を選択するための操作部Ｏ２が表示されており、下部に複数の薬局の情報Ｄ１が表示されている。複数の薬局の情報Ｄ１のうち、各薬局の項目Ｉ１は、薬局名、現在地からの距離、住所、営業日及び営業時間の情報Ｄ２と、その薬局を選択するための操作部Ｏ３とから構成されている。このうち、操作部Ｏ２の表示箇所が押下されるとタッチパッド３２が反応して５０音の行が変わり、操作部Ｏ３の表示箇所が押下されるとタッチパッド３２が反応して操作部Ｏ３が示す薬局が選択されて次の画面に遷移する。
【００３２】
なお、図５に示す例において第１表示制御部１１は、５０音順に複数の薬局の情報Ｄ１を表示しているが、これに限らず、現在地から近い順で複数の薬局の情報Ｄ１を表示してもよい。
【００３３】
第６表示制御部１６は、第１表示制御部１１により表示された選択画面にて選択された薬局に医薬品を受け取りに行く予定の日時を入力させる第１の入力画面を、タッチパネル３０の表示装置３１に表示させるものである。図６は、第１の入力画面一例を示す図である。図６に示すように第１の入力画面においては、その上部に受取予定日を入力するための操作部Ｏ４が表示されており、下部に受取予定時間を入力するための操作部Ｏ５が表示されている。さらに、第１の入力画面の最下部には、次の画面に遷移するための操作部Ｏ６が表示されている。このうち、操作部Ｏ４，Ｏ５の表示箇所が押下されるとタッチパッド３２が反応して日時が選択され、操作部Ｏ６の表示箇所が押下されるとタッチパッド３２が反応して次の画面に遷移する。
【００３４】
ここで、図６に示すように、第６表示制御部１６は、薬局に医薬品を受け取りに行く日時に関し、本日（操作日）を含めて４日分に限定して受取予定日を選択可能に第１の入力画面を表示させる。これは、処方箋の有効期限が４日であるためである。すなわち、調剤予約装置１００の操作日が処方箋の交付日であると仮定した場合、５日目以降が選択可能となっていれば、処方箋の有効期限が切れた日に医薬品を受け取りに行ってしまい、医薬品を受け取ることができなくなってしまうからである。
【００３５】
具体的に第６表示制御部１６は、「今日」の選択部Ｓｅ１、「明日」の選択部Ｓｅ２、「１０月２４日（土）」の選択部Ｓｅ３、及び「１０月２５日（日）」の選択部Ｓｅ４の４日分の選択部Ｓｅ１〜Ｓｅ４のみを表示して、５日目以降の選択部を表示しないようになっている。
【００３６】
また、第６表示制御部１６は、薬局の医薬品を受け取りに行く日時に関し、その薬局の営業日及び営業時間に限定して選択可能に第１の入力画面を表示させる。図６に示す例のように、日曜日が定休日である薬局の場合、「１０月２５日（日）」の選択部Ｓｅ４が選択不能となっており、「１０月２５日（日）」の選択部Ｓｅ４上に「×」マークなど選択不能マークＳＮが付与されている。
【００３７】
また、営業時間に関しては選択された営業日に応じて選択不能マークＳＮの付与状態が異なるものであり、例えば「１０月２４日（土）」の選択部Ｓｅ３が選択された場合、第６表示制御部１６は、「９時頃」〜「１２時頃」の選択部Ｓｅ５〜Ｓｅ８について選択可能となっているが、「１３時頃」〜「２０時頃」の選択部Ｓｅ９〜Ｓｅ１６上には「×」マークなど選択不能マークＳＮが付与されており、選択不能となっている。これに対し、図示を省略するが、例えば「本日」の選択部Ｓｅ１が選択された場合、第６表示制御部１６は、「９時頃」〜「２０時頃」の全ての選択部Ｓｅ５〜Ｓｅ１６に選択不能マークＳＮが付与されず、全ての選択部Ｓｅ５〜Ｓｅ１６が選択可能となる。
【００３８】
なお、上記では選択不能マークＳＮを表示して選択不能とする例を説明したが、選択できる旨を示す選択許可マークを表示したり、色分けにより選択許可や選択不能を表現したりしてもよい。また、上記において選択不能の選択部Ｓｅ１〜Ｓｅ１６についてタッチパッド３２は反応しないことはいうまでもないが、タッチパッド３２が反応して選択できない旨を表示等するようになっていてもよい。
【００３９】
また、マイコン１０は、操作部Ｏ６が操作されることにより確認画面をタッチパネル３０の表示装置３１に表示させるものである。図７は、確認画面一例を示す図である。図７に示すように確認画面においては、その上部から下部に亘り、薬局名の情報、薬局の営業日時の情報、現在地からの距離の情報、住所の情報、電話番号の情報、及び、周辺の地図情報からなる薬局情報Ｄ３が表示され、最下部に選択画面に遷移して薬局を選びなおすための操作部Ｏ７と、次の画面に遷移するための操作部Ｏ８が表示されている。このうち、操作部Ｏ７，Ｏ８の表示箇所が押下されるとタッチパッド３２が反応して選択画面又は次の画面に遷移する。
【００４０】
第２表示制御部１２は、処方箋データの取得を促す取得画面を表示させるものである。ここで、本実施形態において処方箋データは、処方箋の画像データである。図８〜図１０は、処方箋の画像データの取得を促す第１〜第３の取得画面を示す図である。第１の取得画面においては、その上部に処方箋の写真を撮る旨の説明Ｅ３が表示され、中段に処方箋の写真の撮り方に関する説明Ｅ４が表示され、下部に撮影を始める旨の操作部Ｏ９が表示されている。このうち、操作部Ｏ９の表示箇所が押下されるとタッチパッド３２が反応して第２の取得画面に遷移する。また、操作部Ｏ９が押下されることによりマイコン１０はカメラ２０を起動させる。
【００４１】
図９に示すように、第２の取得画面においては、カメラ２０による撮像画像が画面全体に表示されると共に、撮像画像に重畳して画面下部に、撮影する旨の操作部Ｏ１０が表示されている。操作部Ｏ１０の表示箇所が押下されるとタッチパッド３２が反応して第３の取得画面に遷移すると共に、押下時点におけるカメラ２０の撮像画像が取得される。
【００４２】
図１０に示すように、第３の取得画面においては、その上部に処方箋の写真が撮れた旨の説明Ｅ５が表示され、中段に取得された画像データの縮小データが表示され、且つ縮小データに隣接してその下部に縮小データを拡大表示する旨の操作部Ｏ１１が表示されている。さらに、第３の取得画面の下部には次の画面に遷移するための操作部Ｏ１２が表示されると共に、最下部には処方箋が複数枚ある場合において複数枚の撮影を行う旨の操作部Ｏ１３が表示されている。このうち、操作部Ｏ１１の表示箇所が押下されるとタッチパッド３２が反応して取得された画像データ、すなわち拡大された画像データが表示される。また、操作部Ｏ１２の表示箇所が押下されるとタッチパッド３２が反応して次の画面に遷移する。さらに、操作部Ｏ１３の表示箇所が押下されるとタッチパッド３２が反応して第１の取得画面に遷移する。
【００４３】
第３表示制御部１３は、お薬手帳の保有及び作成希望の少なくとも一方の手帳情報を入力させる第２の入力画面を表示させるものである。図１１は、第２の入力画面一例を示す図である。図１１に示すように第２の入力画面においては、その上部にお薬手帳に関する情報入力を促す説明Ｅ６が表示され、中段にお薬手帳の保有及び作成希望を選択するための選択部Ｓｅ１７〜Ｓｅ２０が表示され、下部に次の画面に遷移するための操作部Ｏ１４が表示されている。
【００４４】
具体的に説明すると、選択部Ｓｅ１７は、「持っています。薬局に持参します。」となっており、選択部Ｓｅ１８は、「ありません。今回新しく作りたいです。」となっている。選択部Ｓｅ１９は、「ありません。作成不要です。」となっており、選択部Ｓｅ２０は、「持っているが、今日は持っていない。」となっている。これらの選択部Ｓｅ１７〜Ｓｅ２０のうち、押下操作されて選択されたものが薬局側への情報送信の対象となる。ここで、選択部Ｓｅ１７，Ｓｅ２０がお薬手帳の保有を示し、選択部Ｓｅ１８がお薬手帳の作成希望を示している。このため、これらの選択部Ｓｅ１７，Ｓｅ１８，Ｓｅ２０が選択された場合、薬局側はお薬手帳による薬剤服用管理指導が必要であると判断することができる。一方、選択部Ｓｅ１９が選択された場合、薬局側はお薬手帳による薬剤服用管理指導が不要であると判断することができる。
【００４５】
選択部Ｓｅ１７〜Ｓｅ２０のいずれか１つが選択され、操作部Ｏ１４の表示箇所が押下されるとタッチパッド３２が反応して次の画面に遷移することとなる。
【００４６】
第４表示制御部１４は、ジェネリック医薬品を希望するかのジェネリック情報を入力させる第３の入力画面を表示させるものである。図１２は、第３の入力画面一例を示す図である。図１２に示すように第３の入力画面においては、最上部に質問に回答する旨の説明Ｅ７が表示され、この説明Ｅ７の下側に隣接して、ジェネリック医薬品を希望するかの設問Ｑ１と、設問Ｑ１に対して「はい」「いいえ」で回答するための選択部Ｓｅ２１，Ｓｅ２２とが表示されている。
【００４７】
さらに、第３の入力画面においては、中段から下部に亘って、薬局毎に設定される設問（問診内容）Ｑ２〜Ｑ５と、設問Ｑ２〜Ｑ５に対して「はい」「いいえ」で回答するための選択部Ｓｅ２３〜Ｓｅ３０とが表示されている。加えて、第３の入力画面の最下部には次の画面に遷移するための操作部Ｏ１５が表示されている。
【００４８】
ここで、これらの選択部Ｓｅ２１，Ｓｅ２２のうち、押下操作されて選択されたものが薬局側への情報送信の対象となる。このため、ジェネリック医薬品を希望する旨の選択部Ｓｅ２１が選択されると、薬局側はジェネリック医薬品の調剤を要すると判断でき、ジェネリック医薬品を希望しない旨の選択部Ｓｅ２２が選択されると、薬局側はジェネリック医薬品の調剤を要しないと判断できる。また、薬局毎に設定される設問に対する回答を示す選択部Ｓｅ２３〜Ｓｅ３０についても、選択されたものが薬局側への情報送信の対象となるため、薬局側は事前に問診の回答情報を取得することもできる。
【００４９】
設問Ｑ１〜Ｑ５に対応する選択部Ｓｅ２１〜Ｓｅ３０がそれぞれ１つずつ選択され、操作部Ｏ１５の表示箇所が押下されるとタッチパッド３２が反応して次の画面に遷移することとなる。
【００５０】
第５表示制御部１５は、医薬品が処方される患者側の連絡先の情報を入力させる第４の入力画面を表示させる。図１３は、第４の入力画面一例を示す図である。図１３に示すように第４の入力画面においては、最上部に連絡先の１つである電話番号を入力する旨の説明Ｅ８が表示され、中段に電話番号を入力するためのテンキー部Ｔ及び入力された電話番号の表示窓となるボックスＢが表示されている。また、第４の入力画面の下部には選択された薬局側に情報送信するための操作部Ｏ１６が表示されている。
【００５１】
操作部Ｏ１６が操作されると、送信制御部１７は、第１〜第６の表示制御部１１から１６にて表示された画面を通じて入力・取得された各種情報を、選択された薬局側に対してセットで送信する。このとき、送信制御部１７は、アンテナ部４０を介して各種情報をセットで送信する。
【００５２】
なお、上記した画面の画像データ、薬局の情報Ｄ１、地図データ、及び薬局毎の設問Ｑ２〜Ｑ５等の情報については、調剤予約装置１００に予め記憶されていてもよいし、ネットワーク３００を通じて外部サーバ等から随時ダウンロードされてもよい。
【００５３】
また、調剤予約装置１００は、薬局側に対して情報送信する直前に送信内容を記載させる確認画面を表示させてもよい。特に、確認画面には送信内容を撮影したりメモしたりする説明を表示するとよい。
【００５４】
また、調剤予約装置１００は、薬局側に対して情報送信した後に、処方箋の置き忘れを防止するための画面を表示してもよいし、処方箋の置き忘れを防止するための音声を出力してもよい。さらに、調剤予約装置１００のマイコン１０は、計時手段を有し、タッチパッド３２が何ら操作を検出しないまま所定時間が経過した場合には、図５に示す初期画面に戻るようになっていてもよい。
【００５５】
加えて、上記では説明を省略したが、利便性の向上のため、上記した各画面の全部又は一部には、適宜初期画面に戻る旨の操作部、及び、１つ前の画面に遷移するための操作部の少なくとも１つを表示しておくことが好ましい。
【００５６】
また、上記において処方箋データは、撮影された処方箋の画像データであるが、これに限らず、処方箋に二次元コードが印刷されている場合には二次元コードを撮影して得られる処方箋の情報であってもよい。また、処方箋データは、画像データそのものに限らず、画像データの解析データであってもよい。すなわち、ＯＣＲ機能により画像データ上の文字を解析し、解析された文字データを送信するようになっていてもよい。
【００５７】
さらに、処方箋の画像データの解析などによって、マイコン１０が処方箋に記載される処方箋の交付日の情報を取得できる場合、第６表示制御部１６は、選択された薬局に医薬品を受け取りに行く予定の日時に関し、処方箋が交付された交付年月日を含めて４日以内に限定して入力可能とさせる第１の入力画面を表示させるようになっていてもよい。なお、この場合においては、日時を入力させる第１の入力画面に先立って、処方箋データの取得を促す取得画面が表示されて処方箋データの取得が促されることとなる。
【００５８】
加えて、図５に示すように、操作部Ｏ１については、「薬局名で探す」という選択部Ｓｅ３１、「今から行ける薬局を探す」という選択部Ｓｅ３２、及び、「行く日時から薬局を探す」という選択部Ｓｅ３３から構成されている。上記では、「薬局名で探す」という選択部Ｓｅ３１が選択された場合の一例として、図５に示すように５０音順（距離順でも可）で複数の薬局の情報Ｄ１を表示する選択画面を示した。しかし、「今から行ける薬局を探す」という選択部Ｓｅ３２が選択された場合、５０音順（距離順でも可）で表示される複数の薬局のうち、現時点が定休日や営業時間外である薬局が除かれて、複数の薬局の情報Ｄ１が表示されることとなる。さらに、「行く日時から薬局を探す」という選択部Ｓｅ３３が選択された場合、複数の薬局の情報Ｄ１の表示に先立って、まず第１の入力画面が表示され、操作部Ｏ６の操作後に、５０音順（距離順でも可）で表示される複数の薬局のうち、入力された日時が定休日や営業時間外である薬局が除かれて、複数の薬局の情報Ｄ１が表示されることとなる。すなわち、予約日時が定休日や営業時間外に該当するような場合には、予約日時に応じて、選択不可な薬局を除外する除外処理を実行し、除外処理後の選択可能な薬局のみを表示するようになっていてもよい。
【００５９】
さらには、上記では連絡先の情報として、電話番号を示したが、これに限らず、メールアドレスなどの他の連絡先の情報であってもよい。
【００６０】
次に、本実施形態に係る調剤予約装置１００による調剤予約方法を説明する。図１４〜図１６は、本実施形態に係る調剤予約方法を示すフローチャートである。まず、図１４に示すように、マイコン１０は初期画面を表示させる（Ｓ１）。次に、マイコン１０は、「薬局名で探す。」旨の選択部Ｓｅ３１が操作されたかを判断する（Ｓ２）。
【００６１】
「薬局名で探す。」旨の選択部Ｓｅ３１が操作されたと判断した場合（Ｓ２：ＹＥＳ）、第１表示制御部１１は、複数の薬局のうちいずれか１つを選択可能とする選択画面を表示させる（Ｓ３）。その後、マイコン１０は、薬局が選択されたかを判断する（Ｓ４）。薬局が選択されていないと判断した場合（Ｓ４：ＮＯ）、処理はステップＳ３に移行する。
【００６２】
一方、薬局が選択されたと判断した場合（Ｓ４：ＹＥＳ）、第６表示制御部１６は、医薬品を受け取りに行く予定の日時を入力させる第１の入力画面を表示させる（Ｓ５）。その後、マイコン１０は、日時が入力されたかを判断する（Ｓ６）。すなわち、図６に示す例においてマイコン１０は、日時が選択されて次の画面に遷移する操作部Ｏ６が操作されたかを判断する。日時が選択されておらず、又は、操作部Ｏ６が操作されていないと判断した場合（Ｓ６：ＮＯ）、処理はステップＳ５に移行する。
【００６３】
一方、日時が選択されて操作部Ｏ６が操作されたと判断した場合（Ｓ６：ＹＥＳ）、マイコン１０は、薬を受け取りに行く薬局が正しいかを確認させる確認画面を表示させる（図１５のＳ７）。その後、マイコン１０は、薬局を選びなおすための操作部Ｏ７が操作されたかを判断する（Ｓ８）。操作部Ｏ７が操作されたと判断した場合（Ｓ８：ＹＥＳ）、処理は図１４のステップＳ３に移行する。
【００６４】
操作部Ｏ７が操作されていないと判断した場合（Ｓ８：ＮＯ）、マイコン１０は、確認画面中に表示される薬局で決定されたかを判断する（Ｓ９）。すなわち、マイコン１０は、操作部Ｏ８が操作されたかを判断する。操作部Ｏ８が操作されていないと判断した場合（Ｓ９：ＮＯ）、処理はステップＳ７に移行する。操作部Ｏ８が操作されたと判断した場合（Ｓ９：ＹＥＳ）、処理はステップＳ２６に移行する。
【００６５】
また、「薬局名で探す。」旨の選択部Ｓｅ３１が操作されていないと判断した場合（図１４のＳ２：ＮＯ）、マイコン１０は、「今から行ける薬局を探す。」旨の選択部Ｓｅ３２が操作されたかを判断する（Ｓ１０）。
【００６６】
「今から行ける薬局を探す。」旨の選択部Ｓｅ３２が操作されたと判断した場合（Ｓ１０：ＹＥＳ）、マイコン１０は、現時点が定休日や営業時間外である薬局を除外する（Ｓ１１）。そして、第１表示制御部１１は、ステップＳ１１にて除外されなかった複数の薬局のうちいずれか１つを選択可能とする選択画面を表示させる（Ｓ１２）。
【００６７】
その後、マイコン１０は、薬局が選択されたかを判断する（Ｓ１３）。薬局が選択されていないと判断した場合（Ｓ１３：ＮＯ）、処理はステップＳ１２に移行する。一方、薬局が選択されたと判断した場合（Ｓ１３：ＹＥＳ）、マイコン１０は、薬を受け取りに行く薬局が正しいかを確認させる確認画面を表示させる（図１５のＳ１４）。その後、マイコン１０は、薬局を選びなおすための操作部Ｏ７が操作されたかを判断する（Ｓ１５）。操作部Ｏ７が操作されたと判断した場合（Ｓ１５：ＹＥＳ）、処理は図１４のステップＳ１２に移行する。
【００６８】
操作部Ｏ７が操作されていないと判断した場合（Ｓ１５：ＮＯ）、マイコン１０は、確認画面中に表示される薬局で決定されたかを判断する（Ｓ１６）。すなわち、マイコン１０は、操作部Ｏ８が操作されたかを判断する。操作部Ｏ８が操作されていないと判断した場合（Ｓ１６：ＮＯ）、処理はステップＳ１４に移行する。操作部Ｏ８が操作されたと判断した場合（Ｓ１６：ＹＥＳ）、処理はステップＳ２６に移行する。
【００６９】
ところで、「今から行ける薬局を探す。」旨の選択部Ｓｅ３２が操作されていないと判断した場合（図１４のＳ１０：ＮＯ）、マイコン１０は、「行く日時から薬局を探す。」旨の選択部Ｓｅ３３が操作されたかを判断する（Ｓ１７）。
【００７０】
「行く日時から薬局を探す。」旨の選択部Ｓｅ３３が操作されていないと判断した場合（Ｓ１７：ＮＯ）、処理はステップＳ１に移行する。一方、「行く日時から薬局を探す。」旨の選択部Ｓｅ３３が操作されたと判断した場合（Ｓ１７：ＹＥＳ）、第６表示制御部１６は、医薬品を受け取りに行く予定の日時を入力させる第１の入力画面を表示させる（Ｓ１８）。その後、マイコン１０は、日時が入力されたかを判断する（Ｓ１９）。すなわち、マイコン１０は、日時が選択されて次の画面に遷移する操作部Ｏ６が操作されたかを判断する。日時が選択されておらず、又は、操作部Ｏ６が操作されていないと判断した場合（Ｓ１９：ＮＯ）、処理はステップＳ１８に移行する。
【００７１】
一方、日時が選択されて操作部Ｏ６が操作されたと判断した場合（Ｓ１９：ＹＥＳ）、マイコン１０は、選択された日時が定休日や営業時間外である薬局を除外する（Ｓ２０）。そして、第１表示制御部１１は、ステップＳ２０にて除外されなかった複数の薬局のうちいずれか１つを選択可能とする選択画面を表示させる（Ｓ２１）。
【００７２】
その後、マイコン１０は、薬局が選択されたかを判断する（Ｓ２２）。薬局が選択されていないと判断した場合（Ｓ２２：ＮＯ）、処理はステップＳ２１に移行する。一方、薬局が選択されたと判断した場合（Ｓ２２：ＹＥＳ）、マイコン１０は、薬を受け取りに行く薬局が正しいかを確認させる確認画面を表示させる（図１５のＳ２３）。その後、マイコン１０は、薬局を選びなおすための操作部Ｏ７が操作されたかを判断する（Ｓ２４）。操作部Ｏ７が操作されたと判断した場合（Ｓ２４：ＹＥＳ）、処理は図１４のステップＳ１８に移行する。
【００７３】
操作部Ｏ７が操作されていないと判断した場合（Ｓ２４：ＮＯ）、マイコン１０は、確認画面中に表示される薬局で決定されたかを判断する（Ｓ２５）。すなわち、マイコン１０は、操作部Ｏ８が操作されたかを判断する。操作部Ｏ８が操作されていないと判断した場合（Ｓ２５：ＮＯ）、処理はステップＳ２３に移行する。操作部Ｏ８が操作されたと判断した場合（Ｓ２５：ＹＥＳ）、処理はステップＳ２６に移行する。
【００７４】
ステップＳ２６において、第２表示制御部１２は、処方箋データの取得を促す第１〜第３の取得画面を順次表示させる（Ｓ２６）。この処理においては、患者側からの操作を経て、処方箋データが装置１００に取得される。
【００７５】
次いで、第３表示制御部１３は、お薬手帳の保有及び作成希望を示す手帳情報を入力させる第２の入力画面を表示させる（Ｓ２７）。そして、マイコン１０は、手帳情報が入力されたかを判断する（Ｓ２８）。すなわち、マイコン１０は、図１１に示す例において選択部Ｓｅ１７〜Ｓｅ２０のいずれか１つが選択され、操作部Ｏ１４が操作されたかを判断する。
【００７６】
いずれか１つが選択されず、又は操作部Ｏ１４が操作されていないと判断した場合（Ｓ２８：ＮＯ）、処理はステップＳ２７に移行する。一方、いずれか１つが選択され、操作部Ｏ１４が操作されたと判断した場合（Ｓ２８：ＹＥＳ）、第４表示制御部１４は、ジェネリック医薬品を希望するかのジェネリック情報、及び、薬局毎の設問（問診内容）に対する回答の情報を入力させる第３の入力画面を表示させる（Ｓ２９）。
【００７７】
次いで、マイコン１０は、ジェネリック情報及び設問に対する回答情報が入力されたかを判断する（Ｓ３０）。すなわち、マイコン１０は、図１２に示す例において設問Ｑ１〜Ｑ５毎にそれぞれ選択部Ｓｅ２１〜Ｓｅ３０が１つずつ選択され、操作部Ｏ１５が操作されたかを判断する。
【００７８】
選択部Ｓｅ２１〜Ｓｅ３０が１つずつ選択されておらず、又は操作部Ｏ１５が操作されていないと判断した場合（Ｓ３０：ＮＯ）、処理はステップＳ２９に移行する。一方、選択部Ｓｅ２１〜Ｓｅ３０が１つずつ選択され、操作部Ｏ１５が操作されたと判断した場合（Ｓ３０：ＹＥＳ）、第４表示制御部１４は、医薬品が処方される患者側の連絡先の情報を入力させる第４の入力画面を表示させる（図１６のＳ３１）。
【００７９】
その後、マイコン１０は、送信指示があったかを判断する（Ｓ３２）。すなわち、マイコン１０は、図１３に示す例において連絡先の情報が入力され、送信する旨の操作部Ｏ１６が操作されたかを判断する。
【００８０】
連絡先の情報が入力されておらず、又は操作部Ｏ１６が操作されていないと判断した場合（Ｓ３２：ＮＯ）、処理はステップＳ３１に移行する。一方、連絡先の情報が入力され、操作部Ｏ１６が操作されたと判断した場合（Ｓ３２：ＹＥＳ）、送信制御部１７は、上記の各種情報をセットで薬局側に送信する（Ｓ３３）。そして、図１４〜図１６に示す処理は終了する。
【００８１】
このようにして、第１実施形態に係る調剤予約装置１００、調剤予約方法、調剤予約プログラム、及びこのプログラムを記録した記録媒体によれば、選択された薬局側に対して、処方箋データと、手帳情報と、ジェネリック情報とを送信する。ここで、調剤報酬点数は、お薬手帳による薬剤服用管理指導料、及び、ジェネリック医薬品の使用の有無によって、変化するものである。お薬手帳に基づく指導や、ジェネリック医薬品の使用の有無については、処方箋に記載されるものではなく、患者側からの情報が無い限り、薬局側は知ることが困難な情報である。そして、このような情報が調剤報酬点数、すなわち患者への請求額に変化をもたらすものであることから、これらの情報が無い場合、患者側からの要望によっては調剤のやり直しとなってしまう可能性がある。ところが、本発明では、手帳情報と、ジェネリック情報とについても送信するため、調剤報酬点数に変化をもたらす情報を薬局側が取得できることから、調剤の予約を行うと共に、調剤のやり直しの可能性を減じることができる。
【００８２】
また、患者側の連絡先の情報を送信するため、医薬品の在庫が不足しており調剤を行えない場合には、患者側にその旨を連絡することができ、患者等が医薬品を取りに来た際に医薬品を渡すことができないという事態を防止することができる。
【００８３】
また、医薬品を受け取りに行く予定の日時の情報を送信するため、薬局側は受信した日時の情報に基づいて医薬品を用意しておけばよく、患者側の利便性のみならず薬局側の利便性も向上させることができる。
【００８４】
また、医薬品を受け取りに行く予定の日時に関し、当該薬局の営業日及び営業時間に限定して入力可能とさせるため、定休日や営業時間外に患者側が医薬品を受け取りに行き、医薬品を受け取ることができなくなってしまう事態を防止することができる。
【００８５】
また、医薬品を受け取りに行く予定の日時に関し、操作日を含めて４日以内に限定して入力可能とさせるため、処方箋の有効期限が切れた日時に医薬品を受け取りに行ってしまい、医薬品を受け取ることができなくなってしまう可能性を低減することができる。
【００８６】
また、選択画面において現在地からの距離が近い順序で複数の薬局を表示するため、患者側が医薬品を取りに行き易い薬局から順に表示されることとなり、より一層の利便性を向上させることができる。
【００８７】
以上、実施形態に基づき本発明を説明したが、本発明は上記実施形態に限られるものではなく、本発明の趣旨を逸脱しない範囲で、変更を加えてもよいし、可能な範囲で適宜他の技術を組み合わせてもよい。
【００８８】
例えば、上記実施形態において各表示制御部１１〜１６により表示される画面については統合されていてもよい。一例を挙げると、手帳情報を入力させる第２の入力画面と、ジェネリック情報を入力させる第３の入力画面とは、同一の１画面として表示装置３１に表示されるようになっていてもよい。他の画面も同様である。
【００８９】
さらに、各画面の表示順序は、上記に説明した順序で表示される場合に限らず、他の順序で表示されるようになっていてもよい。例えば、連絡先の情報を入力させる第４の入力画面は最後に表示されるようになっているが、これに限らず、最初等に表示されるようになっていてもよい。
【００９０】
また、画面構成については、上記したものに限られず、種々の変更が可能である。
【００９１】
さらに、上記実施形態において、処方箋データについては、カメラ２０により撮影された画像データであるが、これに限られるものではない。図１７及び図１８は、処方箋データの取得を促す第４及び第５の取得画面を示す図である。なお、図１７及び図１８において処方箋データは、カメラ２０により撮影された画像データではなく、スキャナ装置により読み込まれた画像データとなっている。よって、この例において調剤予約装置１００は、タブレット端末のみによって構成されているのではなく、タブレット端末とスキャナ装置とによって構成されている。さらに、この例では、タブレット端末とスキャナ装置とが無線接続される例を示すが、これに限らず有線接続されていてもよい。
【００９２】
図１７に示すように、第４の取得画面においては、処方箋をスキャンする旨の説明Ｅ９が表示され、中段に処方箋のスキャン方法に関する説明Ｅ１０が表示され、下部にスキャンを開始する旨の操作部Ｏ１７が表示されている。このうち、操作部Ｏ１７の表示箇所が押下されるとタッチパッド３２が反応してスキャナ装置を動作させる。スキャナ装置は、処方箋の画像データを読み取ると、これをタブレット端末に送信する。
【００９３】
図１８に示すように、第５の取得画面においては、その上部に処方箋の画像がスキャンされた旨の説明Ｅ１１が表示され、中段に取得された画像データの縮小データが表示されている。さらに、第５の取得画面の下部には次の画面に遷移するための操作部Ｏ１８が表示されると共に、最下部には処方箋の追加がある場合において追加のスキャンを行う旨の操作部Ｏ１９が表示されている。このうち、操作部Ｏ１８の表示箇所が押下されるとタッチパッド３２が反応して次の画面に遷移する。さらに、操作部Ｏ１９の表示箇所が押下されるとタッチパッド３２が反応して第４の取得画面に遷移する。すなわち、再度スキャン装置を起動させてスキャンを行うことが可能となる。
【００９４】
なお、図１７及び図１８に示す例においては、既に選択画面や第１〜第４の入力画面が表示済みであり、第４及び第５の取得画面が最後の表示画面となっている。このため、操作部Ｏ１８には「送信」という文字表示がされている。しかし、これに限らず、操作部Ｏ１８には「次へ」という文字表示がされて、第４及び第５の取得画面の次に、選択画面や第１〜第４の入力画面のいずれかが表示されるようになっていてもよい。
【００９５】
加えて、調剤予約装置１００は、図８〜図１０に示す処方箋データの取得方法（すなわち撮影）と、図１７及ぶ図１８に示す処方箋データの取得方法（すなわちスキャン）との双方を実行可能に構成されていてもよい。この場合、例えば撮影により取得するか、スキャンにより取得するかを選択させるための画面を新たに表示するようにすればよい。
【符号の説明】
【００９６】
１        ：調剤予約システム
１０      ：マイコン
１０ａ    ：ＣＰＵ
１０ｂ    ：ＲＯＭ
１０ｃ    ：ＲＡＭ
１１      ：第１表示制御部（第１表示制御手段）
１２      ：第２表示制御部（第２表示制御手段）
１３      ：第３表示制御部（第３表示制御手段）
１４      ：第４表示制御部（第４表示制御手段）
１５      ：第５表示制御部（第５表示制御手段）
１６      ：第６表示制御部（第６表示制御手段）
１７      ：送信制御部（送信制御手段）
２０      ：カメラ
３０      ：タッチパネル
３１      ：表示装置
３２      ：タッチパッド
４０      ：アンテナ部
１００    ：調剤予約装置
２００    ：予約受付装置
３００    ：ネットワーク
【図１】
0006499070.tif 000002
【図２】
0006499070.tif 000003
【図３】
0006499070.tif 000004
【図４】
0006499070.tif 000005
【図５】
0006499070.tif 000006
【図６】
0006499070.tif 000007
【図７】
0006499070.tif 000008
【図８】
0006499070.tif 000009
【図９】
0006499070.tif 000010
【図１０】
0006499070.tif 000011
【図１１】
0006499070.tif 000012
【図１２】
0006499070.tif 000013
【図１３】
0006499070.tif 000014
【図１４】
0006499070.tif 000015
【図１５】
0006499070.tif 000016
【図１６】
0006499070.tif 000017
【図１７】
0006499070.tif 000018
【図１８】
0006499070.tif 000019